(57)【特許請求の範囲】
【請求項１】
利用者にインターネット接続を提供するための無線中継装置において、
自機に接続するための情報である接続情報と、広告と、を表示する表示部と、
前記表示部に広告が所定時間表示された後に、非表示であった前記接続情報を前記表示部に自動的に表示する制御部と、
前記接続情報を利用して無線で接続を要求した通信端末を、インターネット接続を提供するために自機に接続する端末側通信部と、
を備えることを特徴とする無線中継装置。
【請求項２】
請求項１に記載の無線中継装置であって、
前記接続情報は、自機又は自機を含むネットワークを識別するための識別情報、及び、当該識別情報を利用して自機に接続するためのパスワードのうち少なくとも一方を含むことを特徴とする無線中継装置。
【請求項３】
請求項１又は２に記載の無線中継装置であって、
前記接続情報は、バーコード形式で表示されることを特徴とする無線中継装置。
【請求項４】
請求項１から３までの何れか一項に記載の無線中継装置であって、
前記接続情報は所定のタイミングで更新され、前記端末側通信部は、最新でない接続情報を利用して無線で接続を要求した通信端末を自機に接続しないことを特徴とする無線中継装置。
【請求項５】
請求項１から４までの何れか一項に記載の無線中継装置であって、
前記表示部は、複数の表示装置を備え、前記表示装置毎に表示する広告を異ならせることを特徴とする無線中継装置。
【請求項６】
請求項５に記載の無線中継装置であって、
前記表示部は、前記表示装置毎に異なる接続情報を表示し、
前記制御部は、通信端末が利用した接続情報に応じて、インターネットの接続後に当該通信端末に初めに表示させるＷｅｂページを定めることを特徴とする無線中継装置。
【請求項７】
請求項１から６までの何れか一項に記載の無線中継装置であって、
前記制御部は、前記接続情報を利用して通信端末が自機に接続した回数を数えることを特徴とする無線中継装置。
【請求項８】
請求項１から７までの何れか一項に記載の無線中継装置としてのアクセスポイント装置。
【請求項９】
利用者にインターネット接続を提供するための無線中継装置に、
前記無線中継装置に接続するための情報である接続情報と、広告と、の両方を、当該無線中継装置の制御部によって表示内容が制御される表示部に表示する表示工程と、
前記表示部に広告が所定時間表示された後に、非表示であった前記接続情報を前記表示部に自動的に表示する制御工程と、
前記接続情報を利用して無線で接続してきた通信端末を、インターネット接続を提供するために前記無線中継装置に接続する端末側接続工程と、
を行わせることを特徴とする接続情報表示方法。
【発明の詳細な説明】
【技術分野】
【０００１】
本発明は、主要には、ノートパソコン等の通信端末を無線でインターネットに接続するための無線中継装置に関する。
【背景技術】
【０００２】
従来から、無線中継装置として、ルータ機能を有する装置である無線ＬＡＮルータや、ルータ機能を有しない装置であるアクセスポイント装置が知られている。無線中継装置は、インターネットに接続されるとともに、無線ＬＡＮ接続が可能なノートパソコン等の端末（以下、通信端末）を接続可能である。この構成により、無線中継装置は、通信端末をインターネットに接続することができる。
【０００３】
アクセスポイント装置には、ＳＳＩＤ及びパスワードが設定される。利用者は、通信端末を操作してＳＳＩＤ及びパスワードを入力することにより、通信端末をアクセスポイント装置に接続することができる。この構成により、ＳＳＩＤ及びパスワードを知っている人のみがインターネットを利用することができる。従って、契約した人のみにインターネット接続を提供するサービスが実現できる。また、不特定の人がインターネットを利用することを防止できるので、セキュリティを確保できる。特許文献１及び２は、この種のアクセスポイント装置を用いたシステムを開示する。
【０００４】
特許文献１は、人を認証する方法として、上記のＳＳＩＤ及びパスワードを用いる方法に加え、認証サーバを利用する方法を開示する。認証サーバとは、インターネットを介してアクセスポイント装置（無線ＬＡＮアクセスポイント）に接続されたサーバである。認証サーバは、予め設定されたＩＤとパスワードとを記憶している。また、アクセスポイント装置は、通信端末が自機に接続すると、当該通信端末の画面にＩＤ及びパスワードを入力させる画面を表示する。そして、アクセスポイント装置は、利用者によって入力されたＩＤ及びパスワードを認証サーバへ送信する。認証サーバは、受信したＩＤ及びパスワードと、自機が記憶するＩＤ及びパスワードと、を比較することで、利用者の認証を行う。利用者は、認証サーバによって認証されることにより、インターネットを自由に利用することができる。
【０００５】
特許文献２は、地下等のＧＰＳ衛星が利用できない場所において、利用者の通信端末に位置情報を提供するシステムを開示する。このシステムを構成するアクセスポイント装置には、事前に設置場所の位置情報が設定されている。そして、アクセスポイント装置は、自機に接続した通信端末の画面に、現在地付きの地図とともに広告を表示する。これにより、位置情報を利用したい人に広告を見てもらうことができる。
【０００６】
また、特許文献２に類似する構成として、以下の広告表示システムが知られている。即ち、この広告表示システムでは、アクセスポイント装置又は認証サーバは、自機に接続した通信端末の画面に、一定時間広告を表示する。そして、アクセスポイント装置又は認証サーバによる広告の表示が終了することで、利用者は、インターネットを自由に利用できる。これにより、利用者に広告を見てもらうことができる。
【先行技術文献】
【特許文献】
【０００７】
【特許文献１】特開２００３−３１８９９１号公報
【特許文献２】特開２００９−１７１３６５号公報
【発明の概要】
【発明が解決しようとする課題】
【０００８】
しかし、特許文献２の構成では、通信端末の画面に広告を表示させることはできるが、利用者は、位置情報を参照するためにアクセスポイント装置に接続しているため、広告ではなく地図を主に見ると考えられる。そのため、この構成は、利用者に広告をあまり見てもらえないという点で改善の余地があった。
【０００９】
また、上記の広告表示システムでは、広告が表示されている間に利用者が通信端末の画面を見るとは限らないので、利用者に広告をあまり見てもらえない。また、この広告表示システムは、利用者の通信端末の性能やＯＳ等によっては、広告を適切に表示できない場合があると考えられる。
【００１０】
本発明は以上の事情に鑑みてされたものであり、その主要な目的は、利用者により確実に広告を閲覧させることができる無線中継装置を提供することにある。
【課題を解決するための手段及び効果】
【００１１】
本発明の解決しようとする課題は以上の如くであり、次にこの課題を解決するための手段とその効果を説明する。
【００１２】
本発明の第１の観点によれば、以下の構成の無線中継装置が提供される。即ち、無線中継装置は、利用者にインターネット接続を提供するためのものである。この無線中継装置は、表示部と、制御部と、端末側通信部と、を備える。前記表示部は、自機（アクセスポイント装置）に接続するための情報である接続情報と、広告と、を表示する。前記制御部は、前記表示部に広告が所定時間表示された後に、非表示であった前記接続情報を前記表示部に自動的に表示する。前記端末側通信部は、前記接続情報を利用して無線で接続を要求した通信端末を、インターネット接続を提供するために自機に接続する。
【００１３】
これにより、利用者は、ノートパソコン等の通信端末をインターネットに接続したい場合、接続情報が表示されるまで表示部を見ておく必要がある。従って、利用者に表示部を注視させることができるので、利用者により確実に広告を見てもらうことができる。
【００１４】
前記の無線中継装置においては、前記接続情報は、自機又は自機を含むネットワークを識別するための識別情報、及び、当該識別情報を利用して自機に接続するためのパスワードのうち少なくとも一方を含むことが好ましい。
【００１５】
これにより、通信端末を無線中継装置に接続する際の一般的な方法で本発明を実現できるので、利用者が通信端末の設定方法で混乱することを防止できる。
【００１６】
前記の無線中継装置においては、前記接続情報は、バーコード形式で表示されることが好ましい。
【００１７】
これにより、バーコード形式で表示された接続情報を通信端末のカメラ等で読み取ることで、利用者が無線中継装置の識別情報やパスワード等を入力する手間を軽減することができる。
【００１８】
前記の無線中継装置においては、前記接続情報は所定のタイミングで更新され、前記端末側通信部は、最新でない接続情報を利用して無線で接続を要求した通信端末を自機に接続しないことが好ましい。
【００１９】
これにより、接続情報が更新されると、利用者は、更新後（最新）の接続情報を取得する必要がある。従って、例えば利用者が接続情報を記憶していたり、利用者の通信端末に接続情報が記憶されていたりする場合であっても、利用者に再び広告を見てもらうことができる。
【００２０】
前記の無線中継装置においては、前記表示部は、複数の表示装置を備え、前記表示装置毎に表示する広告を異ならせることが好ましい。
【００２１】
これにより、趣向の異なる広告を複数の表示装置に表示することで、利用者の好みに応じた当該利用者に広告を見せることができる。また、インターネット接続を提供する業者は、複数の広告主と契約し、収益の機会を合理的に増大させることができる。
【００２２】
前記の無線中継装置においては、以下の構成とすることが好ましい。即ち、前記表示部は、前記表示装置毎に異なる接続情報を表示する。前記制御部は、通信端末が利用した接続情報に応じて、インターネットの接続後に当該通信端末に初めに表示させるＷｅｂページを定める。
【００２３】
これにより、無線中継装置は、通信端末をインターネットに接続した後に、利用者が見ていた広告の特性と合致するＷｅｂページを当該利用者に見てもらうことができる。例えば、表示部に表示されていた商品が購入可能なＷｅｂページを利用者に見せることで、商品が購買される確率を上げることができる。
【００２４】
前記の無線中継装置においては、前記制御部は、前記接続情報を利用して通信端末が自機に接続した回数を数えることが好ましい。
【００２５】
これにより、無線中継装置の利用回数、即ち、利用者が広告を見た回数をある程度把握することができる。
【００２６】
本発明の第２の観点によれば、前記の無線中継装置としてのアクセスポイント装置が提供される。
【００２７】
これにより、アクセスポイント装置（ルータ機能を有しない無線中継装置）において、本発明の効果を発揮させることができる。
【００２８】
本発明の第３の観点によれば、以下の接続情報表示方法が提供される。即ち、この接続情報表示方法は、表示工程と、制御工程と、端末側接続工程と、を、利用者にインターネット接続を提供するための無線中継装置に行わせる。前記表示工程では、前記無線中継装置に接続するための情報である接続情報と、広告と、の両方を、当該無線中継装置の制御部によって表示内容が制御される表示部に表示する。前記制御工程では、前記表示部に広告が所定時間表示された後に、非表示であった前記接続情報を前記表示部に自動的に表示する。前記端末側接続工程では、前記接続情報を利用して無線で接続してきた通信端末を、インターネット接続を提供するために前記無線中継装置に接続する。
【００２９】
これにより、利用者は、ノートパソコン等の通信端末をインターネットに接続したい場合、接続情報が表示されるまで表示部を見ておく必要がある。従って、利用者に表示部を注視させることができるので、利用者により確実に広告を閲覧させることができる。
【図面の簡単な説明】
【００３０】
【図１】本発明の一実施形態に係るアクセスポイント装置を介して通信端末がインターネットに接続される様子を示すブロック図。
【図２】表示装置による接続情報の表示方法を説明する図。
【図３】表示装置による接続情報の表示方法を説明する図。
【図４】表示装置による接続情報の表示方法を説明する図。
【図５】記憶部の記憶内容を示す図。
【図６】表示装置による接続情報の表示方法の変形例を説明する図。
【発明を実施するための形態】
【００３１】
次に、図面を参照して本発明の実施の形態を説明する。
【００３２】
初めに、図１を参照して、アクセスポイント装置（無線中継装置）を介して利用者の通信端末をインターネットに接続する構成の概略について説明する。図１は、アクセスポイント装置を介して通信端末がインターネットに接続される様子を示すブロック図である。
【００３３】
本実施形態では、利用者にインターネット接続を提供するとともに、利用者に広告を閲覧させることで広告主から収入を得るシステムが構築されている。図１には、通信端末１１と、アクセスポイント装置１２と、ルータ１３と、Ｗｅｂサーバ１５と、が表示されている。
【００３４】
通信端末１１は、ノートパソコン及びスマートフォン等であり、無線通信が可能な構成である。アクセスポイント装置１２は、通信端末１１と無線で接続可能に構成されるとともに、ルータ１３に無線又は有線で接続されている。また、本実施形態のアクセスポイント装置１２は、表示部２１を備えている。表示部２１は、広告と、接続情報と、を表示する。接続情報とは、通信端末１１をアクセスポイント装置１２に接続するための情報であり、本実施形態では、ＳＳＩＤ（Ｓｅｒｖｉｃｅ  Ｓｅｔ  Ｉｄｅｎｔｉｆｉｅｒ）及びパスワード（ＷＡＰ形式及びＷＰＡ形式等）が用いられている。ルータ１３は、アクセスポイント装置１２や図略の他のアクセスポイント装置等で構成されるＬＡＮを、インターネット１４に接続する。
【００３５】
利用者は、通信端末１１をインターネットに接続したい場合、ＳＳＩＤ及びパスワードを取得するために、アクセスポイント装置１２の表示部２１を閲覧する。このとき、本システムでは、利用者に広告を見てもらうことができる。そして、利用者は、通信端末を操作して、当該通信端末が検出したＳＳＩＤの一覧を表示させる。そして、利用者は、通信端末に表示されたＳＳＩＤの一覧から、表示部２１に表示されていたＳＳＩＤを選択するとともに、表示部２１に表示されていたパスワードを入力する。これにより、利用者は、通信端末１１をアクセスポイント装置１２に接続することができる。従って、利用者は、インターネットを利用して、例えばＷｅｂサーバ１５から所定の情報を取得することができる。
【００３６】
次に、アクセスポイント装置１２の詳細な構成について図１から図５までを参照して説明する。図２から図４までは、アクセスポイント装置１２が備える表示部２１の表示内容を示す図である。図５は、記憶部の記憶内容を示す図である。
【００３７】
図１に示すように、アクセスポイント装置１２は、表示部２１と、制御部２２と、記憶部２３と、通信部２４と、を備える。なお、本実施形態のアクセスポイント装置１２は、マルチＳＳＩＤ機能を有しており、複数（以下の説明では３つ）のＳＳＩＤを設定可能である。また、それぞれのＳＳＩＤには、互いに異なるパスワードが設定されている。
【００３８】
表示部２１は、表示装置２１ａと、表示装置２１ｂと、表示装置２１ｃと、を備えている。表示装置２１ａ，２１ｂ，２１ｃは、広告を表示するとともに、所定のタイミングで前記接続情報を表示する。なお、上述のように、アクセスポイント装置１２には３つのＳＳＩＤ及びパスワードが設定されており、表示装置２１ａ，２１ｂ，２１ｃは、それぞれ異なるＳＳＩＤ及びパスワードを接続情報として表示する。このように、本実施形態のアクセスポイント装置１２は、複数の表示装置を備え、それぞれに異なる広告及び異なる接続情報を表示することができるので、インターネット接続を提供する業者は、複数の広告主と同時に契約することが可能となる。
【００３９】
以下、表示装置２１ａ，２１ｂ，２１ｃの広告及び接続情報の表示方法について説明する。なお、表示装置２１ａ，２１ｂは、比較的小型のディスプレイであるのに対し、表示装置２１ｃは、比較的大型のディスプレイであるものとする。
【００４０】
表示装置２１ａは、広告のみを画面に表示する状態（図２（ａ）を参照）と、接続情報のみを画面に表示する状態（図２（ｂ）を参照）と、を所定のタイミングで切り替える。具体的には、表示装置２１ａは、広告と広告の間に接続情報を表示したり、所定時間毎に接続情報を表示したりする。上述のように表示装置２１ａは比較的小型であるので、このように広告及び接続情報をともに全画面で表示することで、視認性の低下を防止できる。また、広告が表示される箇所と、接続情報が表示される箇所と、が同じなので、接続情報の取得を希望する利用者に広告をより確実に見せることができる。なお、表示装置２１ａは、ＳＳＩＤ及びパスワードを文字列によって表示する。
【００４１】
表示装置２１ｂは、表示装置２１ａと同様に、広告のみを画面に表示する状態（図３（ａ）を参照）と、接続情報のみを画面に表示する状態（図３（ｂ）を参照）と、を所定のタイミングで切り替える。表示装置２１ｂは、ＳＳＩＤ及びパスワードを２次元バーコード５１により表示する。この２次元バーコード５１には、ＳＳＩＤとパスワードの情報が埋め込まれており、利用者は、スマートフォン等のカメラを用いて２次元バーコード５１を読み取ることで、ＳＳＩＤ及びパスワードを取得することができる。利用者は、２次元バーコード５１を読み取って接続情報を取得し、例えばコピー操作及びペースト操作を行うことで、手入力の手間なしでＳＳＩＤやパスワードを設定できる。また、上述のように表示装置２１ｂは比較的小型であるので、このようにバーコード形式で接続情報を表示して利用者に読み取らせることが可能である。なお、２次元バーコードに代えて、例えば１次元バーコードによって接続情報を表示しても良い。
【００４２】
表示装置２１ｃは、図４に示すように、画面に常に広告を表示するとともに、画面の下端近傍に接続情報表示ボックス５２を常に表示する。接続情報表示ボックス５２においては、接続情報が表示されない状態（図４（ａ）を参照）と、接続情報が表示される状態（図４（ｂ）を参照）と、が所定のタイミングで切り替わる。このように、常に接続情報表示ボックス５２を表示しておくことで、表示装置２１ｃを見た人は、たとえ接続情報が表示されない状態であっても、近傍にアクセスポイントが存在することを知ることができる。なお、表示装置２１ａ，２１ｂにおいても、インターネット接続が可能なことを訴求する内容、例えば「広告中に表示されるＳＳＩＤ及びパスワードを使ってインターネットに接続できます」という内容を当該表示装置２１ａ，２１ｂの近傍に表示しても良い。また、上述のように表示装置２１ｃは比較的大型であるので、接続情報表示ボックス５２を常に表示させても、広告の表示領域を十分に確保することができる。
【００４３】
表示装置２１ａ，２１ｂ，２１ｃは、以上のようにして広告及び接続情報を表示する。このように、接続情報の表示／非表示を切り替えることで、本システムの利用者は、接続情報を取得するために表示部２１を注視するので、利用者に確実にかつ広告を見てもらうことができる。更に、利用者は目を離さず、かつ、注意深く広告を見ると考えられるので、広告の内容を利用者に強く訴えることができる。
【００４４】
制御部２２は、アクセスポイント装置１２の各種制御を行う。具体的には、制御部２２は、表示部２１に表示する接続情報の表示／非表示を切り替えたり、外部から受信した情報に基づいて、例えばＳＳＩＤやパスワードを更新したりする。
【００４５】
記憶部２３は、表示部２１が表示する広告及び接続情報や、制御部２２が行う制御に必要な情報を記憶している。また、記憶部２３は、上記の情報に加え、ＳＳＩＤリスト２３ａと、接続回数リスト２３ｂと、を記憶している。
【００４６】
ＳＳＩＤリスト２３ａには、図５（ａ）に示すように、ＳＳＩＤ、パスワード、有効期限、最初に繋ぐＵＲＬが記述されている。有効期限の項目には、パスワードに設定された有効期限が記述されている。つまり、パスワードは有効期限を過ぎると新たなパスワードに更新され、古いパスワードでは通信端末１１をアクセスポイント装置１２に接続できなくなる。なお、パスワードだけでなくＳＳＩＤについても有効期限が設定されていても良い。パスワード等に有効期限を設定することにより、利用者がパスワードを記憶していたり、利用者の通信端末にパスワードが記憶されていたりする場合であっても、利用者に再び広告を見てもらうことができる。
【００４７】
図５（ａ）に記述された最初に繋ぐＵＲＬとは、通信端末１１をインターネットに接続したときに、当該通信端末１１の画面に初めに表示させるＷｅｂページのＵＲＬである。図５（ａ）に示すように、本実施形態では、接続に利用したＳＳＩＤに応じて、最初に繋ぐＵＲＬが異なる構成である。従って、広告の内容に応じたＵＲＬを設定しておくことにより、広告の詳細な情報をユーザに閲覧させたり、広告の商品を購入するＷｅｂページをユーザに閲覧させたりすることができる。
【００４８】
接続回数リスト２３ｂは、図５（ｂ）に示すように、１日あたりの接続回数（通信端末１１がアクセスポイント装置１２に接続した回数）をＳＳＩＤ毎に集計したリストである。上述のように、本実施形態では広告主毎に異なるＳＳＩＤを設定することができるので、広告主毎の接続回数を集計することができる。また、本実施形態のシステムでは、広告を見ないとインターネットに接続できない構成であるので、接続回数リスト２３ｂが集計する接続回数と、広告の閲覧人数と、は相関性が相当に高いと言うことができる。従って、インターネット接続を提供する業者が接続回数を広告主へ知らせることで、広告主は、本システムによる広告の効果を効果をある程度把握することができる。
【００４９】
通信部２４は、端末側通信部２４ａと、ＷＡＮ側通信部２４ｂと、で構成されている。端末側通信部２４ａは、最新の（記憶部２３に記述されている）ＳＳＩＤ及びパスワードが利用者によって入力された通信端末１１と接続可能である。ＷＡＮ側通信部２４ｂは、アクセスポイント装置１２をルータ１３（即ちインターネット１４）に接続する。この構成により、通信部２４は、最新のＳＳＩＤ及びパスワードが入力された通信端末１１をインターネット１４に接続することができる。
【００５０】
次に、従来の広告表示システム（インターネットへの接続後に広告が一定時間表示され、広告の表示終了後にインターネットを利用できるシステム）と比較したときの本実施形態の利点について説明する。
【００５１】
従来の構成は、広告が表示されている間に利用者が通信端末の画面を見るとは限らないので、利用者に確実に広告を見せることはできない。これに対し、本実施形態は、広告を見ないと接続情報が取得できない構成であるため、利用者に確実にかつ注意深く広告を見せることができる。従って、広告の効果を高めることができる。
【００５２】
また、従来の構成は、利用者の通信端末に広告を表示する構成であるのに対し、本実施形態は、アクセスポイント装置１２が備える表示部２１に広告を表示する構成である。これにより、本実施形態の構成は、大画面によって広告を流すことができるので、多くの人に広告を閲覧させることができる。また、従来の構成では、通信端末のスペックやＯＳ等によっては適切に広告を表示できない可能性もあるが、本実施形態ではそのようなことは起こり得ない。
【００５３】
また、従来の構成では、通信端末をインターネットに接続した後に広告が配信されるが、本実施形態は、通信端末をインターネットに接続する前に広告が表示される構成である。つまり、従来の構成は、インターネットへの接続を希望する人にだけ広告を見せるのに対し、本実施形態では、インターネットへの接続を希望していなかった人に対しても、近くにアクセスポイント装置１２があることを知らせることができる。従って、本実施形態では、システムの利用者を増やすことができるので、広告の閲覧数を従来の構成よりも多くすることができる。
【００５４】
以上に説明したように、本実施形態のアクセスポイント装置１２は、表示部２１と、制御部２２と、端末側通信部２４ａと、を備える。表示部２１は、アクセスポイント装置１２に接続するための情報である接続情報と、広告と、を表示する。制御部２２は、表示部２１に表示する接続情報の表示／非表示を切り替える。端末側通信部２４ａは、接続情報を利用して無線で接続を要求した通信端末１１をアクセスポイント装置１２に接続する。
【００５５】
これにより、利用者は、通信端末１１をインターネットに接続したい場合、接続情報が表示されるまで表示部２１を見ておく必要がある。従って、利用者に表示部２１を注視させることができるので、利用者により確実に広告を見てもらうことができる。
【００５６】
以上に本発明の好適な実施の形態を説明したが、上記の構成は例えば以下のように変更することができる。
【００５７】
接続情報の表示／非表示を切り替える構成は上記で説明した方法に限られず、適宜変更することができる。例えば、上記実施形態では、ＳＳＩＤ及びパスワードの両方の表示／非表示が切り替わる構成であるが、ＳＳＩＤを表示装置に常に表示して、パスワードのみの表示／非表示が切り替わる構成であっても良い。この場合、パスワードのみが接続情報である。
【００５８】
また、接続情報の表示方法は、表示部の大きさ等に応じて適宜変更することができる。例えば、図６に示すように、表示部２１ｄが細長状である場合、以下のようにして、接続情報の表示／非表示を切り替える。即ち、表示部２１ｄは、右から左に文字がスクロールするようにして広告を表示する構成である。そして、所定の間隔で広告の中に接続情報が表示される（図６（ｃ）を参照）。これにより、細長状の表示部２１ｄにも適切に広告及び接続情報を表示することができる。
【００５９】
接続情報は、ＳＳＩＤ及びパスワードに限られず、適宜変更することができる。また、ＳＳＩＤに代えて、ＥＳＳＩＤ（Ｅｘｔｅｎｄｅｄ  Ｓｅｒｖｉｃｅ  Ｓｅｔ  Ｉｄｅｎｔｉｆｉｅｒ）やＢＳＳＩＤ（Ｂａｓｉｃ  Ｓｅｒｖｉｃｅ  Ｓｅｔ  Ｉｄｅｎｔｉｆｉｅｒ）等を用いることができる。また、ＳＳＩＤにステルス設定（自身のＳＳＩＤを周囲に知らせない設定）を行い、利用者にＳＳＩＤを入力させても良い。
【００６０】
例えば、接続情報としてＳＳＩＤ等と電子証明書を用いることができる。電子証明書には、利用者側の電子証明書と、インターネット接続を提供する業者側の電子証明書と、が存在する。そして、利用者側の電子証明書は、例えば２次元バーコード５１等に埋め込まれる。利用者は、２次元バーコード５１等から取得した電子証明書を用いてアクセスすることで自機の通信端末１１をインターネットに接続できる。
【００６１】
表示部２１は、アクセスポイント装置１２の制御部２２によって表示内容が制御される構成であれば、物理的に若干離れた位置に配置されていても良い。
【００６２】
表示部２１は、１つの表示装置しか備えない構成であっても良いし、４つ以上の表示装置を備える構成であっても良い。また、１つの表示装置の画面を分割して異なる広告を表示する構成であっても良い。
【００６３】
上記実施形態では、無線中継装置としてアクセスポイント装置を用いた例を示したが、無線中継装置として、無線ＬＡＮルータを用いても良い。
【符号の説明】
【００６４】
１１  通信端末
１２  アクセスポイント装置（無線中継装置）
１３  ルータ
１４  インターネット
１５  Ｗｅｂサーバ
２１  表示部
２２  制御部
２３  記憶部
２４  通信部
２４ａ  ＷＡＮ側通信部
２４ｂ  端末側通信部
【図１】
0006006486.tif 000002
【図２】
0006006486.tif 000003
【図３】
0006006486.tif 000004
【図４】
0006006486.tif 000005
【図５】
0006006486.tif 000006
【図６】
0006006486.tif 000007